(57)【要約】【課題】仮設構築物の強度を一層向上させることができるようになる仮設構築物用ブレースを提供すること。【解決手段】本ブレース４は、隣接する２本の支柱１の間に水平に架設される水平材３と、２本の支柱１のうちの一方の支柱１との間に、上下の傾き角度をもって斜めに架け渡され、かつ上下両端部のうち、一方の端部が、水平材３の長さ方向と直交する水平方向に延びるピン８により水平材３に上下回動自在に連結されるとともに、他方の端部が前記一方の支柱１に連結手段で連結されるブレースであり、前記一方の端部と同じ側となっているブレース本体１５の端部に、水平材３と上下に対面する対面部３２を有し、この対面部３２が水平材３に当接することによりピン８を中心に水平材３とブレース本体１５とがなす角度θ１，θ２が変化することを阻止するための角度変化阻止部材１３が設けられている。【選択図】図４
2015218479.tif 000002
【特許請求の範囲】
【請求項１】
隣接する２本の支柱の間に水平に架設される水平材と、前記２本の支柱のうちの一方の支柱との間に、上下の傾き角度をもって斜めに架け渡される仮設構築物用ブレースであって、上下両端部のうち、一方の端部が、前記水平材の長さ方向と直交する水平方向に延びるピンにより前記水平材に上下回動自在に連結され、他方の端部が前記一方の支柱に連結手段で連結される仮設構築物用ブレースにおいて、
前記一方の端部と同じ側となっているブレース本体の端部に、前記水平材と上下に対面する対面部を有し、この対面部が前記水平材に当接することにより前記ピンを中心に前記水平材と前記ブレース本体とがなす角度が変化することを阻止するための角度変化阻止部材が設けられていることを特徴とする仮設構築物用ブレース。
【請求項２】
請求項１に記載の仮設構築物用ブレースにおいて、前記角度変化阻止部材に前記ピンが結合されていることを特徴とする仮設構築物用ブレース。
【請求項３】
請求項１に記載の仮設構築物用ブレースにおいて、前記角度変化阻止部材は、前記水平材の長さ方向と直交する方向に間隔をあけて並設された２個の壁部を有し、これらの壁部の間に前記水平材が挿入されることを特徴とする仮設構築物用ブレース。
【請求項４】
請求項３に記載の仮設構築物用ブレースにおいて、前記２個の壁部のうち、少なくとも一方の壁部の形状は、前記水平材の長さ方向を左右方向とする正面視で、前記２個の壁部の間に前記水平材を挿入可能とするために上下に傾いた斜辺部が設けられている三角形又は略三角形となっていることを特徴とする仮設構築物用ブレース。
【請求項５】
請求項３又は４に記載の仮設構築物用ブレースにおいて、前記角度変化阻止部材が設けられている前記ブレース本体の前記端部は、上端部であり、前記角度変化阻止部材には、前記２個の壁部の下端同士を連結している底部が設けられ、前記対面部となっているこの底部の下面に、前記ブレース本体の前記上端部が結合されていることを特徴とする仮設構築物用ブレース。
【請求項６】
請求項３〜５のいずれかに記載の仮設構築物用ブレースにおいて、前記２個の壁部のうち、１個の壁部に前記ピンの基端部が結合され、このピンは前記２個の壁部の間隔方向へ延びていることを特徴とする仮設構築物用ブレース。
【請求項７】
請求項１〜６のいずれかに記載の仮設構築物用ブレースにおいて、前記角度変化阻止部材は板材の折り曲げにより形成されていることを特徴とする仮設構築物用ブレース。
【発明の詳細な説明】
【技術分野】
【０００１】
本発明は、建築作業現場や土木作業現場等で構築される仮設構築物に斜めに配設されるブレースに係り、例えば、仮設足場や支保工等の仮設構築物に利用できるものである。
【背景技術】
【０００２】
建築作業現場や土木作業現場等で構築される仮設足場や支保工等の仮設構築物には、この仮設構築物の強度を確保、向上させるために、ブレースが斜めに配設される。下記の特許文献１に示されているブレースは、隣接する２本の支柱の間に水平に架設される水平材と、これらの支柱のうちの一方の支柱との間に、上下の傾き角度をもって斜めに架け渡される仮設構築物用ブレースとなっており、このブレースの上下両端部のうち、一方の端部が、水平材の長さ方向と直交する水平方向に延びるピンにより水平材に上下回動自在に連結され、他方の端部が上記一方の支柱に連結手段で連結されるようになっている。
【先行技術文献】
【特許文献】
【０００３】
【特許文献１】特開２０１４−３１６３３号公報（図７）
【発明の概要】
【発明が解決しようとする課題】
【０００４】
このような仮設構築物用ブレースによると、上下両端部のうち、一方の端部が、水平材の長さ方向と直交する水平方向に延びるピンにより水平材に上下回動自在に連結されているため、仮設構築物に横荷重が作用した場合などにおいて、ピンを中心に水平材とブレースとがなす角度が変化することになり、このため、仮設構築物の強度を一層向上させることが求められる。
【０００５】
本発明の目的は、仮設構築物の強度を一層向上させることができるようになる仮設構築物用ブレースを提供するところにある。
【課題を解決するための手段】
【０００６】
本発明に係る仮設構築物用ブレースは、隣接する２本の支柱の間に水平に架設される水平材と、前記２本の支柱のうちの一方の支柱との間に、上下の傾き角度をもって斜めに架け渡される仮設構築物用ブレースであって、上下両端部のうち、一方の端部が、前記水平材の長さ方向と直交する水平方向に延びるピンにより前記水平材に上下回動自在に連結され、他方の端部が前記一方の支柱に連結手段で連結される仮設構築物用ブレースにおいて、前記一方の端部と同じ側となっているブレース本体の端部に、前記水平材と上下に対面する対面部を有し、この対面部が前記水平材に当接することにより前記ピンを中心に前記水平材と前記ブレース本体とがなす角度が変化することを阻止するための角度変化阻止部材が設けられていることを特徴とするものである。
【０００７】
この仮設構築物用ブレースには、前記一方の端部と同じ側となっているブレース本体の端部に、水平材と上下に対面する対面部を有し、この対面部が水平材に当接することによりピンを中心に水平材とブレース本体とがなす角度が変化することを阻止するための角度変化阻止部材が設けられているため、仮設構築物に横荷重等が作用したときに、角度変化阻止部材の対面部が水平材と当接し、この当接により、ピンを中心に水平材とブレース本体とがなす角度が変化することを阻止できることになり、これにより、上記横荷重等を有効にブレースで受けることができて、仮設構築物の強度を一層向上させることができるようになる。
【０００８】
以上の本発明において、前記ピンは、角度変化阻止部材に設けてもよく、水平材に設けてもよい。
【０００９】
また、角度変化阻止部材は、水平材と上下に対面する対面部を有していて、この対面部が水平材に当接することにより、ピンを中心に水平材とブレース本体とがなす角度が変化することを阻止できるものであれば、任意の形状、構造のものでよく、その一例の角度変化阻止部材は、水平材の長さ方向と直交する方向に間隔をあけて並設された２個の壁部を有するものであって、これらの壁部の間に水平材が挿入されるものである。
【００１０】
これによると、本発明に係る仮設構築物用ブレースがピンにより水平材に連結されたときには、２個の壁部の間に水平材が挿入されるため、仮設構築物用ブレースが水平材の長さ方向と直交する水平方向に移動してしまうことを上記２個の壁部により防止することができる。
【００１１】
また、上記２個の壁部のうち、少なくとも一方の壁部の形状を、水平材の長さ方向を左右方向とする正面視で、これらの壁部の間に水平材を挿入可能とするために上下に傾いた斜辺部が設けられている三角形又は略三角形としてもよい。
【００１２】
これによると、一方の壁部は、斜辺部において斜めに切断された形状になっているため、ピンにより仮設構築物用ブレースと水平材とを連結するために、２個の壁部の間に水平材を挿入する作業を、この斜辺部により容易に行えることになる。
【００１３】
なお、角度変化阻止部材が設けられるブレース本体の端部は、上端部でもよく、下端部でもよく、ブレース本体の下端部に角度変化阻止部材を設ける場合には、上記三角形又は略三角形は、逆三角形又は逆略三角形となる。
【００１４】
また、角度変化阻止部材をこのような形状、構造とする場合であって、角度変化阻止部材が設けられるブレース本体の前記端部をブレース本体の上端部とする場合には、この角度変化阻止部材には、前記２個の壁部の下端同士を連結している底部を設け、前記対面部をこの底部とするとともに、この底部の下面にブレース本体の上端部を結合してもよい。
【００１５】
これによると、角度変化阻止部材はブレース本体の上端部に設けられ、この角度変化阻止部材の底部が水平材に当接することにより、ピンを中心に水平材とブレース本体とがなす角度が変化することを阻止できる。
【００１６】
また、前述したように角度変化阻止部材を水平材の長さ方向と直交する方向に間隔をあけて並設された２個の壁部を有するものであって、これらの壁部の間に水平材が挿入されるものとする場合には、２個の壁部のうち、１個の壁部にピンの基端部を結合し、このピンを２個の壁部の間隔方向へ延ばしてもよい。
【００１７】
これによると、ピンは角度変化阻止部材に設けられることになるため、角度変化阻止部材をブレース本体に結合する作業を行うことにより、本発明に係る仮設構築物用ブレースに自ずとピンを設けることができる。
【００１８】
また、以上の本発明において、角度変化阻止部材は、鋳造により形成してもよく、鍛造により形成してもよく、さらには、板材の折り曲げにより形成されてもよい。
【００１９】
角度変化阻止部材を板材の折り曲げにより形成した場合には、すなわち、角度変化阻止部材を板材の折り曲げ品とした場合には、多数の角度変化阻止部材を安価に製造することができる。
【００２０】
さらに、本発明に係る仮設構築物用ブレースの上下端部のうち、前述した一方の端部とは反対側の前記他方の端部と、前述した一方の支柱とを連結するための連結手段は、任意の形態、構造のものでよく、例えば、ピンによるものでもよく、楔状部材等によるロック部材によるものでもよい。
【００２１】
また、本発明に係る仮設構築物用ブレースは、任意の仮設構築物に用いることができ、この仮設構築物は、例えば、建築作業現場や土木作業現場、解体作業現場等で構築される仮設足場でもよく、支保工でもよく、さらには、スポーツ場で構築される仮設観客席でもよい。
【発明の効果】
【００２２】
本発明によると、仮設構築物の強度を一層向上させることができるという効果を得られる。
【図面の簡単な説明】
【００２３】
【図１】図１は、本発明の一実施形態に係る仮設構築物用ブレースが用いられて構築された支保工の正面図である。
【図２】図２は、図１で示されている支柱の一部を拡大した正面図である。
【図３】図３は、図２のＳ３−Ｓ３線断面図である。
【図４】図４は、図１で示されている水平材と仮設構築物用ブレースとの連結箇所を拡大した正面図である。
【図５】図５は、図１で示されている支柱と仮設構築物用ブレースとの連結箇所を拡大した正面図である。
【図６】図６は、仮設構築物用ブレースの上端部に設けられている角度変化阻止部材の全体を示す斜視図である。
【図７】図７は、角度変化阻止部材の平面図である。
【図８】図８は、角度変化阻止部材の底面図である。
【発明を実施するための形態】
【００２４】
以下に本発明を実施するための形態を図面に基づいて説明する。図１には、本発明の一実施形態に係る仮設構築物用ブレースが用いられて構築された支保工の正面図が示されている。仮設構築物であるこの支保工は、支柱１と、ジャッキベース２と、水平材３と、本実施形態に係る仮設構築物用ブレース４とを含んで構築されている。支柱１には、上下に連結される複数本１０，１１があり、この連結は、下側の支柱１０の上端に設けられた小径棒部１０Ａの外周に上側の支柱１１を嵌合することにより行われ、下側の支柱１０は、支保工が構築される作業現場の地面５にジャッキベース２で高さ位置が調整されて立設されている。
【００２５】
図１には、このようにジャッキベース２で高さ調整されて設置された支柱１が左右に示されている。
【００２６】
図２は、それぞれの支柱１に設けられている連結部６の拡大図であり、図３は、図２のＳ３−Ｓ３線断面図である。この連結部６は、板材の折り曲げにより平面視でコ字状に形成されたポケット部材７を、内部の空間部７Ａの開口側を支柱１に向けて支柱１に溶接で接合したものであり、ポケット部材７は支柱１の外周に９０度間隔で４個設けられている。このように４個のポケット部材７で構成されている連結部６は、図１に示されているように、左右の支柱１のそれぞれに、支柱１の長さ方向に間隔を開けて複数個設けられている。
【００２７】
図４には、支柱１と水平材３との連結箇所が拡大されて示されている。左右方向を長さ方向とする水平材３の本体３Ａはパイプ材で形成され、この本体３Ａの長さ方向両端部に楔状部材３Ｂが下向きとなって溶接で接合されている。左右の支柱１の同じ高さ位置に設けられた連結部６を構成しているポケット部材７のうち、互いに左右方向に対向しているポケット部材７の内部の空間部７Ａに楔状部材３Ｂを上から打ち込み嵌合することにより、水平材３は左右の支柱１に水平に架設されるとともに、左右の支柱１同士は、水平材３により所定間隔をあけて繋がれることになる。
【００２８】
また、図１では示されていないが、ジャッキベース２で高さ位置が調整されて上下に複数本１０，１１が連結された支柱１は、図１の表裏方向にも配置されており、これらの支柱１の同じ高さ位置に設けられた連結部６を構成しているポケット部材７のうち、互いに図１の表裏方向に対向しているポケット部材７の内部の空間部７Ａに、水平材の両端部に設けられた楔状部材を上から打ち込み嵌合することにより、この水平材により、図１の表裏方向に配置された支柱１同士も所定間隔をあけて繋がれている。
【００２９】
本実施形態に係る支保工は、以上のように図１の左右方向及び表裏方向に配置された支柱１と、これらの支柱１同士に架設された水平材３とを含んで構成され、また、この支保工には、横荷重等に対する支保工の強度を向上させるために、本実施形態に係る仮設構築物用ブレース４が組み付けられている。このブレース４は、水平材３と支柱１との間に上下の傾き角度をもって斜めに架け渡されるとともに、２本のブレース４がクロス状に配設されるため、図１において、左右の支柱１のうち、左側の支柱１に近い箇所で上端部が水平材３に連結されたブレース４は、左右の支柱１のうち、右側の支柱１に下端部が連結され、また、左右の支柱１のうち、右側の支柱１に近い箇所で上端部が水平材３に連結されたブレース４は、左右の支柱１のうち、左側の支柱１に下端部が連結される。
【００３０】
図４には、水平材３とブレース４との連結箇所も拡大して示されており、図５には、支柱１とブレース４との連結箇所が拡大して示されている。
【００３１】
図４に示されているように、水平材３とブレース４との連結は、ブレース４の上端部に設けられたピン８を水平材３に形成された孔３Ｃに挿入することにより行われており、このピン８は、水平材３の長さ方向と直交する水平方向に延びるものとなっている。また、図５に示されているように、支柱１とブレース４との連結は、支柱１に設けた連結部６と、ブレース４の下端部に設けられた連結部材９と、これらの連結部６と連結部材９とを結合するためのロック部材１４とを含む連結手段２０により行われている。
【００３２】
次に、図５によりこの連結手段２０について説明する。ブレース４のブレース本体１５はパイプ材で形成されており、このブレース本体１５の下端部に連結部材９が結合されている。この連結部材９は、上下方向の途中箇所において、連結部６の一部を形成している１個のポケット部材７に外側から嵌合できるものになっているため、連結部材９は、図５に示されているように水平材３の長さ方向を左右方向とする正面視で、ポケット部材７を内部に嵌合できる窪み部９Ａが支柱１側に向けて開口形成されたコ字形状のものとなっている。また、連結部材９は、板材の折り曲げ品であるため、図５の表裏方向に間隔をあけて設けられている２個の側部９Ｂを有しており、窪み部９Ａにポケット部材７を嵌合した後に、２個の側部９Ｂの間にロック部材１４を上から挿入し、このロック部材１４をポケット部材７の内部の空間部７Ａにも上から挿入することにより、ブレース４の下端部と支柱１は、連結部６と連結部材９とロック部材１４とを含んで構成される連結手段２０によって連結される。
【００３３】
ロック部材１４には、連結部材９の上面に係止するストップ部１４Ａが設けられており、また、連結部材９の下面から突出するロック部材１４の下部には、スプリングピン等のピン１２が圧入される孔が形成されているため、これらのストップ部１４Ａとピン１２により、ポケット部材７と連結部材９からのロック部材１４の抜け出しは防止される。
【００３４】
なお、ブレース本体１５の下端部に連結部材９を結合することは、溶接等による固着により行ってもよく、あるいは、ボルト等によるピンにより上下回動自在に行ってもよい。
【００３５】
また、ブレース４の下端部と支柱１とを連結するための連結手段は、以上のものに限らず、例えば、支柱１と水平材３との連結構造と同様に、ブレース本体の下端部に楔状部材を設け、この楔状部材を、支柱１のポケット部材７の内部の空間部７Ａに打ち込むことにより、ブレース４の下端部と支柱１とを連結するようにしてもよく、あるいは、ブレース４の下端部と支柱１とのうち、一方にピンを設け、他方にこのピンが挿入される孔を形成することにより、ブレース４の下端部と支柱１とを連結するようにしてもよい。
【００３６】
次に、ブレース４の上端部の構造を図４、図６〜図８により説明する。ブレース４の上端部は、図４に示されているように、パイプ材で形成されたブレース本体１５の上端部に角度変化阻止部材１３を結合することにより構成され、この角度変化阻止部材１３の全体形状は図６に示されている。角度変化阻止部材１３は、打ち抜き加工された板材を折り曲げ加工することにより形成された折り曲げ品であり、この角度変化阻止部材１３は、図６に示されているように、間隔をあけて並設された２個の壁部３０，３１と、これらの壁部３０，３１の下端同士を連結している底部３２を有する。２個の壁部３０，３１は、ブレース４の上端部を図４で示したピン８により水平材３に連結したときに、この水平材３の長さ方向と直交する方向に上記間隔をあけて並設されているものであり、底部３２の下面にブレース本体１５の上端部が溶接で結合されている。
【００３７】
また、本実施形態に係る角度変化阻止部材１３では、水平材３の長さ方向における２個の壁部３０，３１の後端部３０Ａ，３１Ａ及び底部３２の後端部３２Ａは、水平材３の長さ方向の同じ位置にある。さらに、２個の壁部３０，３１のうち、一方の壁部３０についての水平材３の長さ方向の長さは、他方の壁部３１についての水平材３の長さ方向の長さよりも短くなっており、このため、一方の壁部３０の前端部３０Ｂは、他方の壁部３１の前端部３１Ｂから水平材３の長さ方向に後退した位置にあり、また、底部３２の前端部３２Ｂは、一方の壁部３０の前端部３０Ｂと水平材３の長さ方向の同じ位置にある。
【００３８】
また、図４で示されているように、ブレース４の上端部をピン８により水平材３に連結したときには、角度変化阻止部材１３の平面図である図７及び角度変化阻止部材１３に底面図である図８に示されているように、２個の壁部１３Ａ，１３Ｂの間には水平材３が挿入されるため、この挿入を行えるようにするために図６に示されているように、一方の壁部３０には、この壁部３０の後端部３０Ａ側から前端部３０Ｂ側へ延びるにしたがって壁部３０の上面３０Ｃ側から底部３２側へ達することにより斜めに切断された状態になっている斜辺部３３が設けられている。このため、この壁部３０の形状は、図４に示されているように、水平材３の長さ方向を左右方向とする正面視で、上下に傾いた斜辺部３３が設けられている三角形又は略三角形、より正確には直角三角形又は略直角三角形となっている。
【００３９】
そして、前端部３１Ｂが一方の壁部３０の前端部３０Ｂよりも水平材３の長さ方向の前方に達している他方の壁部３１には、この前端部３１Ｂが端部となっている前部３１Ｃが形成されており、この前部３１Ｃには、前述のピン８の基端部が挿入される孔が設けられ、この孔に挿入されたピン８の基端部は溶接により前部３１Ｃに結合され、この結合が行われたピン８は、２個の壁部３０，３１の間隔方向へ延びている。
【００４０】
このため、本実施形態では、ブレース４を水平材３に連結するためのピン８は、ブレース本体１５に結合されることによってブレース４の一部となっている角度変化阻止部材１３に設けられている。
【００４１】
次に、ブレース４についての作業手順について説明する。
【００４２】
ピン８によりブレース４の上端部を、左右の支柱１の間に架設されている水平材３に連結するための作業は、図５で説明した連結手段２０によりブレース４の下端部を支柱１に連結する作業を実施する前に行われ、ピン８によりブレース４の上端部を水平材３に連結するためには、初めに、ブレース４を把持した作業者は、角度変化阻止部材１３の壁部３０の斜辺部３３が水平材３と平行又は略平行となるようにブレース４を直立又は略直立の姿勢にするとともに、ピン８の位置と、このピン８が挿入するために水平材３に形成されている孔３Ｃの位置とを一致又は略一致させ、次いで、斜辺部３３を水平材３の下側を通過させることにより、角度変化阻止部材１３の２個の壁部３０，３１の間に水平材３を配置し、ピン８を孔３Ｃに挿入する。この後に、作業者は、ブレース４をピン８を中心に上向きに回動させることにより、ブレース４の下端部を、左右の支柱１のうちの一方の支柱１に近づけ、次いで、ブレース４の下端部をこの支柱１に前述した連結手段２０により連結する。
【００４３】
このようにブレース４を、水平材３と、左右の支柱１のうちの一方の支柱１との間に斜めの架け渡す作業は、クロス状に配設される２本のブレース４のそれぞれについて行われ、これらのブレース４のブレース本体１５は、長さ方向中央部で交差するため、この交差が互いに干渉することなく行えるようにするために、図１に示されているように、パイプ材で形成されているブレース本体１５の長さ方向中央部を含む長さ部分は、押し潰し加工による偏平部１５Ａとなっている。なお、２本のブレース４はクロス状に配設されるため、図４から分かるように、これらのブレース４は、図４の表裏方向が互いに逆となって水平材３と、左右の支柱１のうちの一方の支柱１との間に架け渡される。
【００４４】
以上のようにそれぞれのブレース４を、水平材３と左右の支柱１のうちの一方の支柱１との間に上下の傾き角度をもって斜めに架け渡したときには、角度変化阻止部材１３の２個の壁部３０，３１の間に水平材３が挿入されているため、ブレース４が水平材３の長さ方向と直交する水平方向に移動してしまうことにより、ピン８が水平材３から外れることを２個の壁部３０，３１により防止することができる。
【００４５】
また、ブレース４が水平材３と左右の支柱１のうちの一方の支柱１との間に上下の傾き角度をもって斜めに架け渡されたときには、角度変化阻止部材１３の底部３２の上面は水平材３の下面と上下に対面しており、このため、底部３２は水平材３と対面している対面部となっている。
【００４６】
図４において、支柱１等で構成されている支保工に左側からの横荷重Ｆ１が作用したときには、左右のブレース４のうち、ピン８を中心に右側のブレース４のブレース本体１５と水平材３とがなす角度θ１が減少するように支保工が変形しようとするが、この変形は、右側のブレース４の角度変化阻止部材１３の底部３２の上面と水平材３の下面とが当接することにより、言い換えると、角度変化阻止部材１３の上記対面部となっていた底部３２が水平材３に当接することにより、角度θ１の減少が阻止されることになり、このため、支保工の変形も阻止されてこの支保工は、横荷重Ｆ１に対する大きな強度を有することになる。
【００４７】
また、図４において、支保工に右側からの横荷重Ｆ２が作用したときには、左右のブレース４のうち、ピン８を中心に左側のブレース４のブレース本体１５と水平材３とがなす角度θ２が減少するように支保工が変形しようとするが、この変形も、左側のブレース４の角度変化阻止部材１３の底部３２の上面と水平材３の下面とが当接することにより、角度θ２の減少が阻止され、このため、支保工の変形も阻止されてこの支保工は、横荷重Ｆ２に対する大きな強度も有することになる。
【００４８】
なお、図４で示されている左右２本のブレース４は同じ寸法、同じ形状、同じ構造のものであるため、θ１とθ２は同じ大きさの角度である。
【００４９】
そして、本実施形態に係る角度変化阻止部材１３では、２個の壁部３０，３１のうち、一方の壁部３０には上下に傾いた斜辺部３３が設けられているため、この斜辺部３３により、２個の壁部１３Ａ，１３Ｂの間に水平材３を容易に挿入でき、これより、ピン８によってブレース４の上端部と水平材３とを連結するための作業も容易に行える。
【００５０】
さらに本実施形態によると、ブレース４の上端部と水平材３とを連結するための部材となっているピン８は、角度変化阻止部材１３に取り付けられているため、この角度変化阻止部材１３をブレース本体１５の上端部に溶接で結合すると、ピン８も同時にブレース４に取り付けられたことになり、このピン取付作業を容易に行える。
【００５１】
さらに、本実施形態に係る角度変化阻止部材１３は板材の折り曲げで形成された折り曲げ品となっているため、多数の角度変化阻止部材１３を安価に製造できる。
【産業上の利用可能性】
【００５２】
本発明は、例えば、建築作業現場や土木作業現場等で構築される仮設足場や支保工等の仮設構築物に利用することができる。
【符号の説明】
【００５３】
１，１０，１１  支柱
３  水平材
４  ブレース
６  支柱に設けられた連結部
７  連結部を構成するポケット部材
８  ピン
９  ブレースに設けられた連結部材
１３  角度変化阻止部材
１４  ロック部材
１５  ブレース本体
２０  連結手段
３０，３１  壁部
３２  対面部である底部
３３  斜辺部
Ｆ１，Ｆ２  横荷重
θ１，θ２  ピンを中心に水平材とブレースとがなす角度
【図１】
2015218479.tif 000003
【図２】
2015218479.tif 000004
【図３】
2015218479.tif 000005
【図４】
2015218479.tif 000006
【図５】
2015218479.tif 000007
【図６】
2015218479.tif 000008
【図７】
2015218479.tif 000009
【図８】
2015218479.tif 000010